(57)【要約】【課題】災害などが発生した場合または災害などが発生する可能性がある場合などにおいて有効に利用できる地図情報を提供することができる地図情報提供装置を得ること。【解決手段】地図情報提供装置１は、第１異状情報受付部３１と、第２異状情報受付部３２と、地図情報生成部３５と、地図情報配信部３６とを備える。第１異状情報受付部３１は、担当者ＵＡ１〜ＵＡｍの端末装置２１〜２ｍから複数の地点における複数の第１異状情報を通信ネットワーク４経由で受け付ける。第２異状情報受付部３２は、非担当者ＵＢ１〜ＵＢｎの端末装置３１〜３ｎから複数の地点における複数の第２異状情報を通信ネットワーク４経由で受け付ける。地図情報生成部３５は、複数の第１異状情報と複数の第２異状情報とに基づいて、複数の異状情報を地図上に紐付けた地図情報を生成する。地図情報配信部３６は、地図情報生成部３５によって生成された地図情報を配信する。【選択図】図１
2020197635.tif 000002
【特許請求の範囲】
【請求項１】
担当者の端末装置から複数の地点における複数の第１異状情報を通信ネットワーク経由で受け付ける第１異状情報受付部と、
非担当者の端末装置から複数の地点における複数の第２異状情報を通信ネットワーク経由で受け付ける第２異状情報受付部と、
前記複数の第１異状情報と前記複数の第２異状情報とに基づいて、複数の異状情報を地図上に紐付けた地図情報を生成する地図情報生成部と、
前記地図情報生成部によって生成された前記地図情報を前記通信ネットワーク経由で端末装置へ配信する地図情報配信部と、を備える
ことを特徴とする地図情報提供装置。
【請求項２】
前記異状情報の種別を指定する指定要求を受け付ける要求受付部を備え、
前記地図情報生成部は、
前記第１異状情報および前記第２異状情報のうち前記指定要求で指定された種別の異状情報に基づいて、前記地図情報を生成する
ことを特徴とする請求項１に記載の地図情報提供装置。
【請求項３】
前記地図情報生成部は、
前記第２異状情報に基づいて複数の領域の状態を分析し、前記地図上で強調表示する領域を判定する異状分析部を備え、
前記異状分析部による判定結果に基づいて、前記地図上の領域を強調表示した情報を前記地図上の領域に紐付けた地図情報を生成する
ことを特徴とする請求項１または２に記載の地図情報提供装置。
【請求項４】
前記地図情報生成部は、
前記地図情報を要求する利用者の属性を示す属性情報と前記異状情報とに基づいて、目的地までの避難ルートを決定する避難ルート決定部を備え、
前記避難ルートを前記地図上に表示した情報を前記地図情報として生成する
ことを特徴とする請求項１から３のいずれか一つに記載の地図情報提供装置。
【請求項５】
前記地図情報生成部は、
前記第１異状情報に基づいて、前記地点における異状状態を示すシンボルを決定するシンボル決定部を備え、
前記シンボル決定部によって決定された前記シンボルを前記地図上に紐付けた地図情報を生成する
ことを特徴とする請求項１から４のいずれか一つに記載の地図情報提供装置。
【請求項６】
コンピュータが実行する地図情報提供方法であって、
担当者の端末装置から複数の地点における複数の第１異状情報を通信ネットワーク経由で受け付ける第１異状情報受付ステップと、
非担当者の端末装置から複数の地点における複数の第２異状情報を通信ネットワーク経由で受け付ける第２異状情報受付ステップと、
前記複数の第１異状情報と前記複数の第２異状情報とに基づいて、複数の異状情報を地図上に紐付けた地図情報を生成する地図情報生成ステップと、
前記地図情報生成ステップによって生成された前記地図情報を前記通信ネットワーク経由で端末装置へ配信する地図情報配信ステップと、を含む
ことを特徴とする地図情報提供方法。
【請求項７】
担当者の端末装置から複数の地点における複数の第１異状情報を通信ネットワーク経由で受け付ける第１異状情報受付ステップと、
非担当者の端末装置から複数の地点における複数の第２異状情報を通信ネットワーク経由で受け付ける第２異状情報受付ステップと、
前記複数の第１異状情報と前記複数の第２異状情報とに基づいて、複数の異状情報を地図上に紐付けた地図情報を生成する地図情報生成ステップと、
前記地図情報生成ステップによって生成された前記地図情報を前記通信ネットワーク経由で端末装置へ配信する地図情報配信ステップと、をコンピュータに実行させる
ことを特徴とする地図情報提供プログラム。
【発明の詳細な説明】
【技術分野】
【０００１】
本発明は、地図情報を生成し、生成した地図情報を提供する地図情報提供装置、地図情報提供方法、および地図情報提供プログラムに関する。
【背景技術】
【０００２】
従来、地図情報を提供する技術が知られている。例えば、特許文献１には、利用者の撮像装置によって撮像された建物などの対象物の画像を収集して地図を更新し、更新した地図を配信する技術が開示されている。
【先行技術文献】
【特許文献】
【０００３】
【特許文献１】特開２００２−１８９４１２号公報
【発明の開示】
【発明が解決しようとする課題】
【０００４】
しかしながら、上記特許文献１に記載の技術は、一般的な地図を生成して配信する技術に留まり、災害などが発生した場合または災害などが発生する可能性がある場合などにおいて、有効に利用できない可能性がある。
【０００５】
本発明は、上記に鑑みてなされたものであって、災害などが発生した場合または災害などが発生する可能性がある場合などにおいて有効に利用できる地図情報を提供することができる地図情報提供装置を得ることを目的とする。
【課題を解決するための手段】
【０００６】
上述した課題を解決し、目的を達成するために、本発明の地図情報提供装置は、第１異状情報受付部と、第２異状情報受付部と、地図情報生成部と、地図情報配信部とを備える。第１異状情報受付部は、担当者の端末装置から複数の地点における複数の第１異状情報を通信ネットワーク経由で受け付ける。第２異状情報受付部は、非担当者の端末装置から複数の地点における複数の第２異状情報を通信ネットワーク経由で受け付ける。地図情報生成部は、複数の第１異状情報と複数の第２異状情報とに基づいて、複数の異状情報を地図上に紐付けた地図情報を生成する。地図情報配信部は、地図情報生成部によって生成された地図情報を通信ネットワーク経由で端末装置へ配信する。
【発明の効果】
【０００７】
本発明によれば、災害などが発生した場合または災害などが発生する可能性がある場合などにおいて有効に利用できる地図情報を提供することができる、という効果を奏する。
【図面の簡単な説明】
【０００８】
【図１】本発明の実施の形態１にかかる地図情報提供システムの構成例を示す図
【図２】実施の形態１にかかる端末装置の構成例を示す図
【図３】実施の形態１にかかる端末装置の処理部による処理の一例を示すフローチャート
【図４】実施の形態１にかかる地図情報提供装置の具体的構成例を示す図
【図５】実施の形態１にかかる第１異状情報テーブルの一例を示す図
【図６】実施の形態１にかかる第２異状情報テーブルの一例を示す図
【図７】実施の形態１にかかる異状情報登録部による処理の一例を説明するための図
【図８】実施の形態１にかかる異状情報登録部による第１異状情報の登録方法を説明するための図
【図９】実施の形態１にかかるシンボル決定部による処理例を示す図
【図１０】実施の形態１にかかる地図情報生成部によって生成される地図情報の一例を示す図
【図１１】実施の形態１にかかる地図情報生成部によって生成される地図情報の他の例を示す図
【図１２】実施の形態１にかかる地図情報生成部によって生成される地図情報のさらに他の例を示す図
【図１３】実施の形態１にかかる地図情報生成部によって生成される属性入力情報が重畳された地図情報の一例を示す図
【図１４】実施の形態１にかかる地図情報生成部によって生成される避難ルートの情報を含む地図情報の一例を示す図
【図１５】実施の形態１にかかる地図情報提供装置の処理部による異状情報処理の一例を示すフローチャート
【図１６】実施の形態１にかかる地図情報提供装置の処理部による地図情報処理の一例を示すフローチャート
【図１７】実施の形態１にかかる地図情報提供装置のハードウェア構成の一例を示す図
【発明を実施するための形態】
【０００９】
以下に、本発明の実施の形態にかかる地図情報提供装置、地図情報提供方法、および地図情報提供プログラムを図面に基づいて詳細に説明する。なお、この実施の形態によりこの発明が限定されるものではない。
【００１０】
実施の形態１．
図１は、本発明の実施の形態１にかかる地図情報提供システムの構成例を示す図である。図１に示すように、実施の形態１にかかる地図情報提供システム１００は、地図情報提供装置１と、担当者ＵＡ１〜ＵＡｍの端末装置２１〜２ｍと、非担当者ＵＢ１〜ＵＢｎの端末装置３１〜３ｎとを備える。ｍおよびｎは２以上の整数である。
【００１１】
担当者ＵＡ１〜ＵＡｍは、災害などが発生した場合または災害などが発生する可能性がある場合などにおいて地図上の複数の地点の各々に紐付ける異状情報を地図情報提供装置１に登録する責務を負う者である。以下、担当者ＵＡ１〜ＵＡｍの各々を区別せずに示す場合、担当者ＵＡと記載する場合があり、端末装置２１〜２ｍの各々を区別せずに示す場合、端末装置２と記載する場合がある。
【００１２】
地図情報提供装置１が提供する地図情報が役所の管轄地域の地図情報である場合、担当者ＵＡは、例えば、役所の担当者である。異状情報は、地点の異状状態を示す情報であり、例えば、端末装置２で撮像された画像の情報である撮像画像情報、または端末装置２で収集された担当者ＵＡの音声の情報である音声情報である。以下、担当者ＵＡが端末装置２で取得する異状情報を第１異状情報と記載する場合がある。
【００１３】
非担当者ＵＢ１〜ＵＢｎは、異状情報を地図情報提供装置１に登録する責務を負わない者である。例えば、地図情報提供装置１が提供する地図情報が役所の管轄地域の地図情報である場合、非担当者ＵＢ１〜ＵＢｎは、役所の管轄地域または近隣地域に住んでいる一般住民、または役所の管轄地域を仕事または観光などで訪れている訪問者である。
【００１４】
以下、非担当者ＵＢ１〜ＵＢｎの各々を区別せずに示す場合、非担当者ＵＢと記載する場合があり、端末装置３１〜３ｎの各々を区別せずに示す場合、端末装置３と記載する場合がある。また、非担当者ＵＢが端末装置３で取得する異状情報を第２異状情報と記載する場合があり、担当者ＵＡおよび非担当者ＵＢの各々を区別せずに示す場合、利用者Ｕと記載する場合がある。
【００１５】
担当者ＵＡは、端末装置２によって取得された第１異状情報を地図情報提供装置１へ通信ネットワーク４を介して送信する。同様に、非担当者ＵＢは、端末装置３によって取得された第２異状情報を地図情報提供装置１へ通信ネットワーク４を介して送信する。通信ネットワーク４は、例えば、端末装置２，３と無線通信を行う不図示の無線基地局を有する携帯電話通信網とインターネットなどのＷＡＮ（Wide  Area  Network）とを含む。端末装置２，３は、無線通信によって異状情報を地図情報提供装置１へ送信することができる。
【００１６】
地図情報提供装置１は、第１異状情報受付部３１と、第２異状情報受付部３２と、地図情報生成部３５と、地図情報配信部３６とを備える。第１異状情報受付部３１は、担当者ＵＡの端末装置２から複数の地点における複数の第１異状情報を通信ネットワーク４経由で受け付ける。第２異状情報受付部３２は、非担当者ＵＢの端末装置３から複数の地点における複数の第２異状情報を通信ネットワーク４経由で受け付ける。
【００１７】
地図情報生成部３５は、複数の第１異状情報と複数の第２異状情報とに基づいて、複数の異状情報を地図上に紐付けた地図情報を生成する。地図情報配信部３６は、地図情報生成部３５によって生成された地図情報を通信ネットワーク４経由で端末装置３へ配信する。
【００１８】
したがって、地図情報提供装置１は、災害などが発生した場合または災害などが発生する可能性がある場合などにおいて有効に利用できる地図情報を提供することができる。また、地図情報提供装置１は、担当者ＵＡからの異状情報に加え、非担当者ＵＢからの異状情報を用いて、地図情報を生成することができるため、地図上に紐付ける異状情報の収集を迅速に行うことができる。したがって、災害などが発生した場合または災害などが発生する可能性がある場合などにおいて地域の状態を迅速に把握することができる。
【００１９】
以下、地図情報提供システム１００についてさらに詳細に説明する。まず端末装置２，３について説明する。図２は、実施の形態１にかかる端末装置の構成例を示す図であり、端末装置２，３の構成を示す。
【００２０】
図２に示すように、端末装置２，３は、通信部５０と、記憶部５１と、入力部５２と、撮像部５３と、マイク５４と、位置情報取得部５５と、表示部５６と、処理部５７とを備える。なお、端末装置２，３は、例えば、スマートフォン、タブレット、またはノート型パーソナルコンピュータなどのモバイル機器である。
【００２１】
通信部５０は、通信ネットワーク４に無線によって接続され、通信ネットワーク４を介して地図情報提供装置１との間で通信を行う。記憶部５１は、各種の情報を記憶する。例えば、記憶部５１には、利用者Ｕの属性情報が含まれる。利用者Ｕの属性情報には、例えば、利用者Ｕが担当者ＵＡであるか非担当者ＵＢであるかを示す登録者属性情報が含まれる。
【００２２】
入力部５２は、例えば、キーボード、マウス、キーパッド、またはタッチパネルなどを含み、利用者Ｕによって操作される。撮像部５３は、例えば、ＣＣＤ（Charge  Coupled  Device）イメージセンサまたはＣＭＯＳ（Complementary  Metal  Oxide  Semiconductor）イメージセンサなどの撮像素子と、レンズ等の光学系とを有する。撮像部５３は、入力部５２への利用者Ｕの操作に従って、端末装置２，３の周囲を撮像することができる。      
【００２３】
なお、撮像部５３は、端末装置２の周囲を２次元または３次元で１８０度撮影または３６０度撮影を行うカメラであってもよい。例えば、撮像部５３は、周方向に配置された複数のレンズを有しており、かかる複数のレンズを通じて撮像される画像を繋ぎ合せた画像の情報を出力することができる。
【００２４】
マイク５４は、入力部５２への利用者Ｕの操作に従って、端末装置２，３の周囲の音を収集する。位置情報取得部５５は、例えば、ＧＰＳ（Global  Positioning  System）受信機および角速度センサを有しており、端末装置２，３が位置している現在地点の緯度および経度と端末装置２，３の撮像部５３が向いている方角とを含む位置情報を取得する。なお、撮像部５３が１８０度撮影または３６０度撮影を行うカメラである場合、位置情報には方角の情報は含まれなくてもよい。表示部５６は、例えば、ＬＣＤ（Liquid  Crystal  Display）または有機ＥＬ（ElectroLuminescence）ディスプレイである。
【００２５】
処理部５７は、異状情報生成部６１と、異状情報送信部６２と、地図情報取得部６３と、表示処理部６４とを備える。異状情報生成部６１は、例えば、入力部５２への利用者Ｕの操作に基づいて、異状情報を生成する機能を有する。
【００２６】
利用者Ｕは、現在地点に異状があると判断した場合、入力部５２を操作して現在地点の異状状態を撮像部５３で撮像したり、マイク５４へ異状状態を説明する音声を入力したりする。異状情報生成部６１は、撮像部５３によって撮像された画像の情報である撮像画像情報を撮像部５３から取得し、マイク５４に入力された音声の情報である音声情報をマイク５４から取得する。
【００２７】
また、異状情報生成部６１は、位置情報取得部５５から現在地点の位置を示す位置情報を取得し、記憶部５１から属性情報を取得する。そして、異状情報生成部６１は、撮像画像情報、日時情報、音声情報、位置情報、および属性情報を含む情報を異状情報として生成する。日時情報は、異状情報が生成された日時の情報であり、異状情報生成部６１によって生成される。
【００２８】
異状情報送信部６２は、異状情報生成部６１によって生成された異状情報を通信部５０から通信ネットワーク４を介して地図情報提供装置１へ送信させる。なお、端末装置２，３から送信される異状情報は、撮像画像情報および音声情報のうち一つであってもよい。
【００２９】
地図情報取得部６３は、通信部５０から通信ネットワーク４を介して地図情報提供装置１へ地図情報を要求する地図要求を送信し、地図情報提供装置１から地図要求に応じて端末装置２，３へ送信される地図情報を通信部５０から取得する。地図情報取得部６３は、取得した地図情報を表示部５６に表示する。
【００３０】
つづいて、端末装置２，３の処理部５７による処理を、フローチャートを用いて説明する。図３は、実施の形態１にかかる端末装置の処理部による処理の一例を示すフローチャートである。
【００３１】
図３に示すように、端末装置２，３の処理部５７は、利用者Ｕによる入力部５２への操作に基づき、異状情報の登録要求があるか否かを判定する（ステップＳ１）。処理部５７は、異状情報の登録要求があると判定した場合（ステップＳ１：Ｙｅｓ）、撮像画像情報を撮像部５３から取得し、音声情報をマイク５４から取得する（ステップＳ２）。
【００３２】
また、処理部５７は、位置情報取得部５５から位置情報を取得し（ステップＳ３）、記憶部５１から属性情報を取得する（ステップＳ４）。そして、処理部５７は、撮像画像情報、音声情報、位置情報、および属性情報を含む異状情報を生成し（ステップＳ５）、生成した異状情報を通信部５０から地図情報提供装置１へ送信させる（ステップＳ６）。
【００３３】
処理部５７は、ステップＳ６の処理が終了した場合、または異状情報の登録要求がないと判定した場合（ステップＳ１：Ｎｏ）、利用者Ｕによる入力部５２への操作に基づいて地図表示に関する要求があるか否かを判定する（ステップＳ７）。処理部５７は、地図表示に関する要求があると判定した場合（ステップＳ７：Ｙｅｓ）、要求に応じた地図情報を通信ネットワーク４経由で地図情報提供装置１から取得し（ステップＳ８）、取得した地図情報を表示部５６に表示する（ステップＳ９）。処理部５７は、ステップＳ９の処理が終了した場合、または地図表示に関する要求がないと判定した場合（ステップＳ７：Ｎｏ）、図３に示す処理を終了する。
【００３４】
次に、地図情報提供装置１について説明する。図４は、実施の形態１にかかる地図情報提供装置の具体的構成例を示す図である。図４に示すように、地図情報提供装置１は、通信部１０と、記憶部２０と、処理部３０とを備える。
【００３５】
通信部１０は、通信ネットワーク４に無線または有線によって接続され、端末装置２，３との間で通信を行うことができる。記憶部２０は、地図情報を生成するための各種の情報を記憶する。記憶部２０は、異状情報記憶部２１と、地図情報記憶部２２と、シンボル情報記憶部２３と、強調表示情報記憶部２４と、災害履歴情報記憶部２５と、平常時履歴情報記憶部２６とを含む。
【００３６】
異状情報記憶部２１は、端末装置２から地図情報提供装置１へ送信される第１異状情報と端末装置３から地図情報提供装置１へ送信される第２異状情報とを記憶する。異状情報記憶部２１において、第１異状情報は第１異状情報テーブルに登録され、第２異状情報は第２異状情報テーブルに登録される。図５は、実施の形態１にかかる第１異状情報テーブルの一例を示す図である。図６は、実施の形態１にかかる第２異状情報テーブルの一例を示す図である。
【００３７】
図５に示す第１異状情報テーブルは、「異状ＩＤ（Identifier）」、「領域ＩＤ」、「利用者ＩＤ」、「日時」、「緯度」、「経度」、「方角」、「撮像画像情報」、および「テキスト情報」を含む情報を記憶する。第１異状情報テーブルでは、１つの領域ＩＤに対して登録される第１異状情報は１つであり、１つの領域ＩＤに対して最新の第１異状情報が登録される。
【００３８】
「異状ＩＤ」は、第１異状情報の識別情報である。「領域ＩＤ」は、地図をメッシュ状に分割した各領域の識別情報である。「利用者ＩＤ」は、担当者ＵＡの識別情報である。「日時」は、第１異状情報が生成された日時の情報である。「緯度」、「経度」、および「方角」は、第１異状情報の位置情報に含まれる緯度、経度、および方角の情報である。「撮像画像情報」は、第１異状情報に含まれる撮像画像情報である。「テキスト情報」は、第１異状情報に含まれる音声情報を音声認識によってテキスト化して得られるテキスト情報である。
【００３９】
図６に示す第２異状情報テーブルは、第１異状情報テーブルと同様に、「異状ＩＤ」、「領域ＩＤ」、「利用者ＩＤ」、「日時」、「緯度」、「経度」、「方角」、「撮像画像情報」、および「テキスト情報」を含む情報を記憶する。第２異状情報テーブルでは、同一の領域ＩＤに対して複数の第２異状情報を登録することができる。
【００４０】
「異状ＩＤ」は、第２異状情報の識別情報である。「領域ＩＤ」は、地図をメッシュ状に分割した各領域の識別情報である。「利用者ＩＤ」は、非担当者ＵＢの識別情報である。「日時」は、第２異状情報が生成された日時の情報である。「緯度」、「経度」、および「方角」は、第２異状情報の位置情報に含まれる緯度、経度、および方角の情報である。「撮像画像情報」は、第２異状情報に含まれる撮像画像情報である。「テキスト情報」は、第２異状情報に含まれる音声情報を音声認識によってテキスト化して得られるテキスト情報である。
【００４１】
図４に戻って記憶部２０の説明を続ける。記憶部２０の地図情報記憶部２２は、地図の情報を記憶する。かかる地図は、２次元の地図であるが、３次元の地図であってもよい。
【００４２】
シンボル情報記憶部２３は、異状状態を示すシンボルの種別と地点の情報とが互いに関連付けられたシンボル情報を記憶する。また、シンボル情報記憶部２３は、シンボル情報を生成するためのシンボルマスタ情報を記憶する。
【００４３】
強調表示情報記憶部２４は、強調表示する地点の情報と強調表示の種別とが互いに関連付けられた強調表示情報を記憶する。災害履歴情報記憶部２５は、被害の状況または災害の種別を示す情報と被害または災害が発生するまでの時系列の複数の異状情報とが互いに関連付けられた災害履歴情報を地点毎に記憶する。平常時履歴情報記憶部２６は、平常時における撮像画像情報を地点毎に記憶する。
【００４４】
処理部３０は、第１異状情報受付部３１と、第２異状情報受付部３２と、異状情報登録部３３と、要求受付部３４と、地図情報生成部３５と、地図情報配信部３６と、異常予測部３７とを備える。
【００４５】
第１異状情報受付部３１は、担当者ＵＡの端末装置２から第１異状情報を通信ネットワーク４経由で受け付ける。第１異状情報受付部３１は、例えば、通信部１０で受信された異状情報に含まれる登録者属性情報に基づいて、第１異状情報を識別することができる。
【００４６】
第２異状情報受付部３２は、非担当者ＵＢの端末装置３から第２異状情報を通信ネットワーク４経由で受け付ける。第２異状情報受付部３２は、例えば、通信部１０で受信された異状情報に含まれる登録者属性情報に基づいて、第２異状情報を識別することができる。
【００４７】
異状情報登録部３３は、第１異状情報受付部３１で受け付けた第１異状情報を異状情報記憶部２１の第１異状情報テーブルに登録する。また、異状情報登録部３３は、第２異状情報受付部３２で受け付けた第２異状情報を異状情報記憶部２１の第２異状情報テーブルに登録する。異状情報登録部３３は、例えば、第１異状情報または第２異状情報に音声情報が含まれている場合、音声認識によって音声情報をテキスト情報に変換し、変換したテキスト情報を異状情報記憶部２１に記憶することができる。
【００４８】
また、異状情報登録部３３は、テキスト情報を解析し、異状の種別を判定することもできる。異状情報登録部３３は、判定した異状の種別を示す情報をテキスト情報に代えてまたは加えて異状情報記憶部２１に記憶することができる。異状の種別は、例えば、地割れ、土砂崩れ、陥没、地盤沈下、火事、道路への落下物、または家屋の倒壊などである。
【００４９】
また、異状情報登録部３３は、第１異状情報または第２異状情報に撮像画像情報が含まれている場合、撮像画像情報を解析し、河川の水位を読み取ることもできる。図７は、実施の形態１にかかる異状情報登録部による処理の一例を説明するための図である。図７に示す撮像画像情報には、河川上に掛け渡された橋の画像が含まれ、かかる橋には水位目盛が設けられている。異状情報登録部３３は、橋の画像に含まれる水位目盛から河川の水位を読み取り、読み取った河川の水位の情報を第１異状情報テーブルに登録することができる。
【００５０】
異状情報登録部３３は、地図をメッシュ状に分割した領域毎に１つの最新の第１異状情報を第１異状情報テーブルに登録する。具体的には、異状情報登録部３３は、第１異状情報に含まれる位置情報から第１異状情報が得られた領域を判定し、判定した領域である登録対象の領域に紐付けられた第１異状情報が第１異状情報テーブルに含まれているか否かを判定する。
【００５１】
異状情報登録部３３は、登録対象の領域に紐付けられた第１異状情報が第１異状情報テーブルに含まれている場合、第１異状情報テーブルにおいて登録対象の領域に紐付けられていた第１異状情報を削除し、第１異状情報受付部３１で受け付けた新たな第１異状情報を登録対象の領域に紐付けて第１異状情報テーブルに登録する。また、異状情報登録部３３は、登録対象の領域に紐付けられた第１異状情報が第１異状情報テーブルに含まれていない場合、第１異状情報受付部３１で受け付けた第１異状情報を登録対象の領域に紐付けて第１異状情報テーブルに登録する。
【００５２】
図８は、実施の形態１にかかる異状情報登録部による第１異状情報の登録方法を説明するための図である。図８に示すように、異状情報登録部３３は、予め設定された基準に基づいて、地図をメッシュ状に領域Ｒ１〜Ｒ４０に分割する。なお、領域Ｒ１〜Ｒ４０の各々を区別せずに示す場合、領域Ｒと記載する場合がある。
【００５３】
図８に示す例では、領域Ｒ１４には登録済の地点Ｐ１があり、領域Ｒ２４には登録済の地点Ｐ２があり、領域Ｒ１４に新規登録の地点Ｐ３があることを示す。領域Ｒ１４に登録済の地点Ｐ１があるとは、位置情報で特定される緯度および経度が領域Ｒ１４に含まれる地点Ｐ１である第１異状情報が第１異状情報テーブルに含まれていることを意味する。同様に、領域Ｒ２４に登録済の地点Ｐ２があるとは、位置情報で特定される緯度および経度が領域Ｒ２４に含まれる地点Ｐ２である第１異状情報が第１異状情報テーブルに含まれていることを意味する。また、領域Ｒ１４に新規登録の地点Ｐ３があるとは、位置情報で特定される緯度および経度が領域Ｒ１４に含まれる地点Ｐ３である第１異状情報が第１異状情報受付部３１によって新たに受け付けられたことを意味する。
【００５４】
この場合、異状情報登録部３３は、登録済の地点Ｐ１の位置情報を有する第１異状情報を第１異状情報テーブルから削除し、新規登録の地点Ｐ３の位置情報を有する第１異状情報を第１異状情報テーブルに登録する。これにより、領域Ｒ１４の第１異状情報が更新される。このように、異状情報登録部３３は、各領域Ｒの第１異状情報として、最も新しい第１異状情報を第１異状情報テーブルに登録し、古い第１異状情報を第１異状情報テーブルから削除することができる。なお、異状情報登録部３３は、同一の領域Ｒにおいて、一つの第１異状情報を登録することに代えて、同一の領域Ｒにおいて、方角の範囲毎に一つの第１異状情報を登録する構成であってもよい。
【００５５】
また、異状情報登録部３３は、第２異状情報受付部３２で受け付けられたすべての第２異状情報を第２異状情報テーブルに登録することができる。なお、第２異状情報受付部３２は、例えば、担当者ＵＡの端末装置２からの要求に基づいて、第２異状情報の受付を停止することができる。端末装置２からの要求には、受付禁止範囲として地図上の範囲を示す情報が含まれており、第２異状情報受付部３２は、第２異状情報に含まれる位置情報で特定される地点が受付禁止範囲に含まれている場合、第２異状情報を受け付けないことができる。
【００５６】
また、第２異状情報受付部３２は、例えば、異常予測部３７によって予測される異常が特定の異常である場合、特定の異常が発生すると予測される範囲を受付禁止範囲として第２異状情報の受付を停止することができる。このように、地図情報提供装置１は、非担当者ＵＢからの第２異状情報の受付を停止することができる。
【００５７】
図４に戻って処理部３０の説明を続ける。処理部３０の要求受付部３４は、端末装置２，３から地図情報提供装置１へ送信される各種の要求を受け付ける。例えば、要求受付部３４は、地図情報の要求である地図要求を受け付ける。なお、地図要求には、例えば、端末装置２，３から異状情報の種別を指定する指定要求、または避難ルートの要求である避難ルート要求などが含まれる場合がある。
【００５８】
地図情報生成部３５は、要求受付部３４で要求が受け付けられた場合、第１異状情報および第２異状情報に基づく地図情報を生成することができる。地図情報配信部３６は、地図情報生成部３５によって生成された地図情報を通信部１０から通信ネットワーク４を介して端末装置２，３へ送信する。
【００５９】
地図情報生成部３５は、シンボル決定部４１と、異状分析部４２と、避難ルート決定部４３と、紐付け部４４とを備える。シンボル決定部４１は、第１異状情報に基づいて、第１異状情報で特定される地点における異状状態を示すシンボルを決定する。
【００６０】
例えば、シンボル決定部４１は、第１異状情報テーブルに登録された第１異状情報とシンボル情報記憶部２３に記憶されたシンボルマスタ情報とに基づいて、第１異状情報で特定される地点における異状状態を示すシンボルを決定することができる。シンボルマスタ情報は、シンボル毎の基準画像情報またはシンボル毎の学習モデルの情報を含む。学習モデルは、例えば、畳み込みニューラルネットワークである。
【００６１】
シンボル決定部４１は、例えば、第１異状情報に含まれる撮像画像情報と基準画像情報とを比較し、撮像画像情報との類似度が最も高い基準画像情報に対応するシンボルを、第１異状情報で特定される地点における異状状態を示すシンボルとして決定することができる。また、シンボル決定部４１は、例えば、第１異状情報に含まれる撮像画像情報を各学習モデルに入力し、出力されるスコアが最も高い学習モデルに対応するシンボルを、第１異状情報で特定される地点における異状状態を示すシンボルとして決定することができる。
【００６２】
図９は、実施の形態１にかかるシンボル決定部による処理例を示す図である。図９に示すように、シンボル決定部４１は、撮像画像情報に地割れの画像が含まれている場合、地割れのシンボルを、第１異状情報で特定される地点における異状状態を示すシンボルとして決定することができる。また、シンボル決定部４１は、撮像画像情報に土砂崩れの画像が含まれている場合、土砂崩れのシンボルを、第１異状情報で特定される地点における異状状態を示すシンボルとして決定することができる。
【００６３】
シンボル決定部４１は、各領域Ｒにおいて第１異状情報が更新される毎に、更新された第１異状情報で特定される地点における異状状態を示すシンボルを決定することができる。また、シンボル決定部４１は、異状情報記憶部２１に異状の種別が記憶されている場合、異状の種別に対応するシンボルを、第１異状情報で特定される地点における異状状態を示すシンボルとして決定することもできる。
【００６４】
なお、第２異状情報は、正規の担当者ＵＡ以外から登録される情報であり、信頼性に問題がある場合があるが、予め設定された数以上の端末装置３からの第２異状情報がある場合、信頼性が高いと考えられる。そこで、シンボル決定部４１は、第１異状情報が登録されていない領域Ｒに予め設定された数以上の端末装置３からの第２異状情報が登録されている場合、これらの第２異状情報に基づいて、第１異状情報が登録されていない領域Ｒの異状状態を示すシンボルを決定することができる。
【００６５】
図４に戻って地図情報生成部３５の説明を続ける。地図情報生成部３５の異状分析部４２は、第２異状情報に基づいて複数の領域Ｒの状態を分析し、地図上で強調表示する領域Ｒを判定する。例えば、異状分析部４２は、第２異状情報が予め設定された数以上登録された領域Ｒを強調表示する領域Ｒとして決定することができる。また、異状分析部４２は、第２異状情報が予め設定された期間に予め設定された数以上登録された領域Ｒを強調表示する領域Ｒとして決定することができる。
【００６６】
また、異状分析部４２は、予め設定された数以上の端末装置３から第２異状情報が登録された領域Ｒを強調表示する領域Ｒとして決定することもできる。また、異状分析部４２は、予め設定された数以上の端末装置３から予め設定された期間に第２異状情報が登録された領域Ｒを強調表示する領域Ｒとして決定することもできる。
【００６７】
避難ルート決定部４３は、地図情報を要求する利用者Ｕの属性を示す属性情報と異状情報記憶部２１に記憶された異状情報とに基づいて、目的地までの避難ルートを決定する。目的地は、例えば利用者Ｕが指定した地点または予め設定された避難場所である。属性情報は、例えば、利用者Ｕによって予め端末装置３の記憶部５１に記憶された情報または避難ルートの情報を要求する際に利用者Ｕによって入力された情報である。属性情報で特定される利用者Ｕの属性は、例えば、利用者Ｕの年齢、利用者Ｕの性別、また利用者Ｕの状態などを含む。利用者Ｕの状態は、利用者Ｕの健康状態、または利用者Ｕが子供連れである状態であるか否かなどを含む。
【００６８】
避難ルート決定部４３は、異状情報記憶部２１に記憶された異状情報に基づいて、避難ルートに適しない地点を判定する。避難ルートに適しない地点は、例えば、地割れがある地点、土砂崩れがある地点、陥没がある地点、倒壊した家屋がある地点、または火事がある地点などである。避難ルート決定部４３は、例えば、シンボル決定部４１による処理と同様の処理によって、基準画像情報または学習モデルの情報に基づいて、避難ルートに適しない地点を判定することができる。
【００６９】
避難ルート決定部４３は、上述のように判定した避難ルートに適しない地点を避けた複数のルートを算出する。避難ルート決定部４３は、算出した複数のルートのうち利用者Ｕの属性に応じたルートを避難ルートとして決定することができる。例えば、避難ルート決定部４３は、利用者Ｕが２０才以上６０才未満で健康状態が良い場合、算出した複数のルートのうち最も距離が短いルートを避難ルートとして決定することができる。
【００７０】
また、避難ルート決定部４３は、例えば、利用者Ｕがお年寄りの場合または利用者Ｕが足を怪我している場合などにおいて、勾配が急な坂道が含まれるルート以外のルートを避難ルートとして決定することができる。また、避難ルート決定部４３は、例えば、利用者Ｕが子供連れである場合、算出した複数のルートのうち最も道路の幅が広いルートを避難ルートとして決定することができる。
【００７１】
紐付け部４４は、要求受付部３４で受け付けられた地図要求に基づいて、地図情報記憶部２２から地図情報を取得し、取得した地図情報に含まれる地図上の地点に異状情報を紐付けて地図情報を生成することができる。また、紐付け部４４は、シンボル決定部４１によって決定されたシンボル、異状分析部４２によって決定された強調表示情報、または避難ルート決定部４３によって決定された避難ルートを地図上に重畳して地図情報を生成することができる。
【００７２】
例えば、紐付け部４４は、要求受付部３４で受け付けられた地図要求が異状情報の種別を指定する指定要求を含む場合、第１異状情報および第２異状情報のうち指定要求で指定された種別の異状情報を地図上の地点に紐付けた地図情報を生成することができる。
【００７３】
また、紐付け部４４は、第１異状情報および第２異状情報が共に指定された場合または異状情報の種別の指定がない場合、第１異状情報および第２異状情報を地図上の地点に紐付けた地図情報を生成することができる。この場合、紐付け部４４は、第１異状情報が登録された領域Ｒに第２異状情報が登録されている場合であっても、第１異状情報が登録された領域Ｒに登録された第２異状情報を地図上の地点に紐付けないこともできる。また、紐付け部４４は、第１異状情報が登録されていない領域Ｒに第２異状情報が登録されている場合であっても、登録された第２異状情報の数または第２異状情報を登録した端末装置３の数が予め設定された数以上でない場合、第２異状情報を地図上の地点に紐付けないこともできる。
【００７４】
図１０は、実施の形態１にかかる地図情報生成部によって生成される地図情報の一例を示す図である。図１１は、実施の形態１にかかる地図情報生成部によって生成される地図情報の他の例を示す図である。図１０および図１１に示す例では、地図情報７０は、端末装置３の表示部５６に表示されている例を示している。
【００７５】
図１０に示す地図情報７０は、第１異状情報が取得された地点を示す記号８１１，８１２，８１３と、第２異状情報が取得された地点を示す記号８２１，８２２，８２３，８２４と、地点における異状状態を示すシンボル８３１，８３２，８３３とを含む。また、図１０に示す地図情報７０は、利用者Ｕが位置する現在地点を示すシンボル８０を含む。以下、記号８１１，８１２，８１３の各々を区別せずに示す場合、記号８１と記載し、記号８２１，８２２，８２３，８２４の各々を区別せずに示す場合、記号８２と記載する場合がある。また、シンボル８３１，８３２，８３３の各々を区別せずに示す場合、シンボル８３と記載する場合がある。
【００７６】
記号８１は、第１異状情報に紐付けられており、記号８２は、第２異状情報に紐付けられている。利用者Ｕが端末装置２，３の入力部５２を操作して記号８１を選択した場合、端末装置２，３から地図情報提供装置１へ第１異状情報の要求が行われる。同様に、利用者Ｕが端末装置２，３の入力部５２を操作して記号８２を選択した場合、端末装置２，３から地図情報提供装置１へ第２異状情報の要求が行われる。
【００７７】
地図情報生成部３５は、要求受付部３４によって第１異状情報または第２異状情報の要求が受け付けられた場合、利用者Ｕによって選択された記号８１または記号８２に紐付けられた撮像画像情報またはテキスト情報を異状情報記憶部２１から取得する。地図情報配信部３６は、地図情報生成部３５によって取得された撮像画像情報またはテキスト情報を端末装置２，３へ通信部１０から通信ネットワーク４を介して送信する。端末装置２，３の地図情報取得部６３は、地図情報提供装置１から撮像画像情報またはテキスト情報を取得し、表示処理部６４は、地図情報取得部６３によって取得された撮像画像情報またテキスト情報を表示部５６に表示する。
【００７８】
図１０に示すように、地図情報７０には、異状情報の種別を指定するための種別指定領域７１が含まれており、利用者Ｕは入力部５２を操作することで、異状情報の種別を指定することができる。図１０に示す地図情報７０では、異状情報の種別として第１異状情報と第２異状情報とが指定されている。
【００７９】
地図情報７０が図１０に示す状態において、利用者Ｕは入力部５２を操作することで、第２異状情報の指定を外すと、図１１に示す地図情報７０が地図情報生成部３５によって生成され端末装置３へ配信される。図１１に示す地図情報７０では、第２異状情報が取得された地点を示す記号８２１，８２２，８２３，８２４が含まれていない。第２異状情報は、正規の担当者ＵＡ以外から登録される情報であり、信頼性に問題がある場合があるが、第１異状情報は、正規の担当者ＵＡから登録される情報であるため信頼性が担保されている。利用者Ｕは、図１１に示す地図情報７０によって、信頼度が高い異状情報を迅速に確認することができる。
【００８０】
なお、図１０に示す地図情報７０では、記号８１と記号８２とが異なる記号であり、利用者Ｕは記号８１と記号８２とによって第１異状情報と第２異状情報が登録されている地点を確認することができる。また、利用者Ｕは、第１異状情報が登録されていない領域Ｒに第２異状情報が登録されている場合、第２異状情報を確認することができる。
【００８１】
また、地図情報７０には、強調表示情報を配置することができる。図１２は、実施の形態１にかかる地図情報生成部によって生成される地図情報のさらに他の例を示す図である。図１２に示す地図情報７０では、図１０に示す地図情報７０において、第２異状情報が取得された地点を示す記号８２５，８２６，８２７，８２８，８２９と、強調表示情報８４とが追加されている。強調表示情報８４は、記号８２５，８２６，８２７，８２８，８２９を含む位置に配置される。これにより、利用者Ｕは、第２異状情報が集中している領域Ｒを容易に把握することができる。
【００８２】
地図情報生成部３５は、要求受付部３４で受け付けられた地図要求が避難ルートの表示を要求する避難ルート要求を含む場合、避難ルート決定部４３によって決定された避難ルートを地図上に重畳した地図情報７０を生成することができる。図１３は、実施の形態１にかかる地図情報生成部によって生成される属性入力情報が重畳された地図情報の一例を示す図である。図１４は、実施の形態１にかかる地図情報生成部によって生成される避難ルートの情報を含む地図情報の一例を示す図である。
【００８３】
地図情報配信部３６は、要求受付部３４で受け付けられた地図要求が避難ルートの表示を要求する避難ルート要求を含む場合、属性入力情報を重畳した地図情報７０を端末装置２，３へ送信する。図１３に示す地図情報７０には、利用者Ｕの年齢、性別、および状態を各々入力する複数の入力ボックスを含む属性入力情報８６が含まれる。利用者Ｕは、入力部５２への操作によって年齢、性別、および状態を入力ボックスへ入力する。入力ボックスへ入力された年齢、性別、および状態の情報は、端末装置２，３から地図情報提供装置１へ送信される。
【００８４】
地図情報生成部３５の避難ルート決定部４３は、端末装置２，３から送信された年齢、性別、および状態の情報に基づいて、利用者Ｕの避難ルートを決定する。地図情報生成部３５の紐付け部４４は、避難ルート決定部４３によって決定された避難ルートの情報を地図上に重畳した地図情報７０を生成する。地図情報配信部３６は、紐付け部４４によって生成された地図情報７０を端末装置３へ送信する。これにより、端末装置３の表示部５６には、図１４に示すように、避難ルート８７が地図上に重畳された地図情報７０が表示される。
【００８５】
なお、地図情報生成部３５は、異状情報記憶部２１に記憶される第１異状情報テーブルまたは第２異状情報テーブルが更新される毎に、地図情報７０を更新することができる。地図情報配信部３６は、地図情報生成部３５によって生成された地図情報７０のうち更新された部分の情報のみを端末装置３へ送信することができる。これにより、端末装置３に表示される地図情報７０を最新状態にしつつも、地図情報提供装置１と端末装置３との間の通信負荷を低減することができる。
【００８６】
図４に戻って、処理部３０の説明を続ける。処理部３０の異常予測部３７は、災害履歴情報記憶部２５に記憶された災害履歴情報に基づいて、将来の被害または災害を予測する。具体的には、異常予測部３７は、災害履歴情報に含まれる時系列の複数の異状情報と異状情報記憶部２１に記憶された時系列の複数の異状情報とを比較し、比較した結果に基づいて、将来の被害または災害を予測することができる。
【００８７】
また、異常予測部３７は、例えば、将来の被害または災害を予測する予測モデルの情報を有しており、かかる予測モデルに災害履歴情報に含まれる時系列の複数の異状情報を入力することで、将来の被害または災害を予測することもできる。
【００８８】
また、異常予測部３７は、異状情報記憶部２１に記憶された異状情報と平常時履歴情報記憶部２６に記憶された平常時における撮像画像情報とを地点毎に比較することで、各地点の異常値を算出することもできる。異常予測部３７は、例えば、異状情報記憶部２１に記憶された異状情報と平常時における撮像画像情報との相違が大きいほど異常値を大きくすることができる。
【００８９】
異常予測部３７は、被害または災害の予測内容を示す情報を端末装置３へ通信部１０から通信ネットワーク４を介して送信することができる。例えば、異常予測部３７は、将来の被害または災害が予測される地点または領域Ｒに位置している端末装置３へ予測した将来の被害または災害の情報を通信部１０から通信ネットワーク４を介して送信することができる。
【００９０】
また、異常予測部３７は、異常値が予め設定された値以上である地点または領域Ｒの情報を端末装置３へ通信部１０から通信ネットワーク４を介して送信することができる。例えば、異常予測部３７は、異常値が予め設定された値以上である地点または領域Ｒに位置する端末装置３へ端末装置３が存在している地点または領域Ｒの異常値を通信部１０から通信ネットワーク４を介して送信することができる。異常値が予め設定された値とは、例えば、河川の水位のレベルが予め設定された値以上である場合である。
【００９１】
つづいて、地図情報提供装置１の処理部３０による異状情報処理を、フローチャートを用いて説明する。図１５は、実施の形態１にかかる地図情報提供装置の処理部による異状情報処理の一例を示すフローチャートであり、端末装置２，３から異状情報を受け付けた場合に実行される。
【００９２】
図１５に示すように、地図情報提供装置１の処理部３０は、第１異状情報を受け付けたか否かを判定する（ステップＳ１０）。処理部３０は、第１異状情報を受け付けたと判定した場合（ステップＳ１０：Ｙｅｓ）、第１異状情報に含まれる位置情報に基づいて、登録対象の領域Ｒを判定する（ステップＳ１１）。処理部３０は、登録対象の領域Ｒに第１異状情報の登録があるか否かを判定する（ステップＳ１２）。
【００９３】
処理部３０は、登録対象の領域Ｒに第１異状情報の登録があると判定した場合（ステップＳ１２：Ｙｅｓ）、登録対象の領域Ｒに登録された第１異状情報を新たに受け付けた第１異状情報に置き換えて登録対象の領域Ｒの情報を更新する（ステップＳ１３）。処理部３０は、登録対象の領域Ｒに第１異状情報の登録がないと判定した場合（ステップＳ１２：Ｎｏ）、登録対象の領域Ｒの情報として受け付けた第１異状情報を登録する（ステップＳ１４）。処理部３０は、第１異状情報を受け付けていないと判定した場合（ステップＳ１０：Ｎｏ）、受け付けた第２異状情報を登録対象の領域Ｒの情報として登録する（ステップＳ１５）。
【００９４】
処理部３０は、ステップＳ１３が終了した場合、ステップＳ１４が終了した場合、またはステップＳ１５が終了した場合、更新した異状情報記憶部２１の異状情報に基づいて、災害または被害を予測する異常予測処理を行う（ステップＳ１６）。異常予測処理は、上述した異常予測部３７が行う処理である。処理部３０は、異常予測処理によって災害または被害が予測されるか否かを判定する（ステップＳ１７）。処理部３０は、災害または被害が予測されると判定した場合（ステップＳ１７：Ｙｅｓ）、災害または被害の予測内容を示す予測情報を端末装置２，３へ送信する（ステップＳ１８）。
【００９５】
処理部３０は、ステップＳ１８が終了した場合、または災害または被害が予測されないと判定した場合（ステップＳ１７：Ｎｏ）、シンボル８３の決定が必要であるか否かを判定する（ステップＳ１９）。ステップＳ１９の処理において、処理部３０は、例えば、ステップＳ１０において第１異状情報を受け付けたと判定した場合に、シンボル８３の決定が必要であると判定する。
【００９６】
処理部３０は、シンボル８３の決定が必要であると判定した場合（ステップＳ１９：Ｙｅｓ）、シンボル決定処理を行う（ステップＳ２０）。シンボル決定処理は、上述したシンボル決定部４１が行う処理である。処理部３０は、ステップＳ２０の処理が終了した場合、またはシンボル８３の決定が必要ではないと判定した場合（ステップＳ１９：Ｎｏ）、強調表示の判定が必要であるか否かを判定する（ステップＳ２１）。処理部３０は、強調表示の判定が必要であると判定した場合（ステップＳ２１：Ｙｅｓ）、強調表示判定処理を行う（ステップＳ２２）。強調表示判定処理は、上述した異状分析部４２が行う処理である。処理部３０は、ステップＳ２２の処理が終了した場合、または強調表示の判定が必要ではないと判定した場合（ステップＳ２１：Ｎｏ）、図１５に示す処理を終了する。
【００９７】
つづいて、地図情報提供装置１の処理部３０による地図情報処理を、フローチャートを用いて説明する。図１６は、実施の形態１にかかる地図情報提供装置の処理部による地図情報処理の一例を示すフローチャートである。
【００９８】
図１６に示すように、処理部３０は、端末装置３から地図要求があるか否かを判定する（ステップＳ３０）。処理部３０は、地図要求があると判定した場合（ステップＳ３０：Ｙｅｓ）、異状情報の種別が指定されているか否かを判定する（ステップＳ３１）。処理部３０は、異状情報の種別が指定されていると判定した場合（ステップＳ３１：Ｙｅｓ）、第１異状情報および第２異状情報の中から指定された種別の異状情報を地図上に紐付ける（ステップＳ３２）。また、処理部３０は、異状情報の種別が指定されていないと判定した場合（ステップＳ３１：Ｎｏ）、第１異状情報および第２異状情報を地図上に紐付ける（ステップＳ３３）。
【００９９】
処理部３０は、ステップＳ３２の処理が終了した場合、またはステップＳ３３の処理が終了した場合、表示すべきシンボルがシンボル情報記憶部２３にあるか否かを判定する（ステップＳ３４）。処理部３０は、シンボルがあると判定した場合（ステップＳ３４：Ｙｅｓ）、シンボルを地図上に重畳する（ステップＳ３５）。
【０１００】
処理部３０は、ステップＳ３５の処理が終了した場合、またはシンボルがないと判定した場合（ステップＳ３４：Ｎｏ）、表示すべき強調表示情報８４が強調表示情報記憶部２４にあるか否かを判定する（ステップＳ３６）。処理部３０は、強調表示情報８４があると判定した場合（ステップＳ３６：Ｙｅｓ）、強調表示情報８４を地図上に重畳する（ステップＳ３７）。
【０１０１】
処理部３０は、ステップＳ３７の処理が終了した場合、または強調表示情報８４がないと判定した場合（ステップＳ３６：Ｎｏ）、地図要求に避難ルート要求があるか否かを判定する（ステップＳ３８）。処理部３０は、避難ルート要求があると判定した場合（ステップＳ３８：Ｙｅｓ）、避難ルート８７を算出し（ステップＳ３９）、算出した避難ルート８７を地図上に重畳する（ステップＳ４０）。
【０１０２】
処理部３０は、ステップＳ４０の処理が終了した場合、また避難ルート要求がないと判定した場合（ステップＳ３８：Ｎｏ）、上述した処理を行った地図情報７０を端末装置３へ配信する（ステップＳ４１）。処理部３０は、ステップＳ４１の処理が終了した場合、または地図要求がないと判定した場合（ステップＳ３０：Ｎｏ）、図１６に示す処理を終了する。
【０１０３】
図１７は、実施の形態１にかかる地図情報提供装置のハードウェア構成の一例を示す図である。図１７に示すように、地図情報提供装置１は、プロセッサ１０１と、メモリ１０２と、通信装置１０３と、インタフェース回路１０４とを備えるコンピュータを含む。
【０１０４】
プロセッサ１０１、メモリ１０２、通信装置１０３、およびインタフェース回路１０４は、例えば、バス１０５によって互いにデータの送受信が可能である。通信部１０は、通信装置１０３によって実現される。記憶部２０は、メモリ１０２によって実現される。プロセッサ１０１は、メモリ１０２に記憶されたプログラムを読み出して実行することによって、第１異状情報受付部３１、第２異状情報受付部３２、異状情報登録部３３、要求受付部３４、地図情報生成部３５、地図情報配信部３６、および異常予測部３７の機能を実行する。プロセッサ１０１は、例えば、処理回路の一例であり、ＣＰＵ（Central  Processing  Unit）、ＤＳＰ（Digital  Signal  Processer）、およびシステムＬＳＩ（Large  Scale  Integration）のうち一つ以上を含む。
【０１０５】
メモリ１０２は、ＲＡＭ（Random  Access  Memory）、ＲＯＭ（Read  Only  Memory）、フラッシュメモリ、ＥＰＲＯＭ（Erasable  Programmable  Read  Only  Memory）、およびＥＥＰＲＯＭ（登録商標）（Electrically  Erasable  Programmable  Read  Only  Memory）のうち一つ以上を含む。また、メモリ１０２は、コンピュータが読み取り可能なプログラムが記録された記録媒体を含む。かかる記録媒体は、不揮発性または揮発性の半導体メモリ、磁気ディスク、フレキシブルメモリ、光ディスク、コンパクトディスク、およびＤＶＤ（Digital  Versatile  Disc）のうち一つ以上を含む。なお、地図情報提供装置１は、ＡＳＩＣ（Application  Specific  Integrated  Circuit）およびＦＰＧＡ（Field  Programmable  Gate  Array）などの集積回路を含んでいてもよい。
【０１０６】
以上のように、実施の形態１にかかる地図情報提供装置１は、第１異状情報受付部３１と、第２異状情報受付部３２と、地図情報生成部３５と、地図情報配信部３６とを備える。第１異状情報受付部３１は、担当者ＵＡ１〜ＵＡｍの端末装置２１〜２ｍから複数の地点における複数の第１異状情報を通信ネットワーク４経由で受け付ける。第２異状情報受付部３２は、非担当者ＵＢ１〜ＵＢｎの端末装置３１〜３ｎから複数の地点における複数の第２異状情報を通信ネットワーク４経由で受け付ける。地図情報生成部３５は、複数の第１異状情報と複数の第２異状情報とに基づいて、複数の異状情報を地図上に紐付けた地図情報７０を生成する。地図情報配信部３６は、地図情報生成部３５によって生成された地図情報７０を通信ネットワーク４経由で端末装置３へ配信する。これにより、地図情報提供装置１は、災害などが発生した場合または災害などが発生する可能性がある場合などにおいて有効に利用できる地図情報７０を提供することができる。また、地図情報提供装置１は、担当者ＵＡ１〜ＵＡｍからの異状情報に加え、非担当者ＵＢ１〜ＵＢｎからの異状情報を用いて、地図情報７０を生成することができるため、地図上に紐付ける異状情報の収集を迅速に行うことができる。したがって、例えば、災害などが発生した場合または災害などが発生する可能性がある場合などにおいて地域の状態を迅速に把握することができる。
【０１０７】
また、地図情報提供装置１は、異状情報の種別を指定する指定要求を受け付ける要求受付部３４を備える。地図情報生成部３５は、第１異状情報および第２異状情報のうち指定要求で指定された種別の異状情報に基づいて、地図情報７０を生成する。これにより、端末装置２，３の利用者Ｕは、必要に応じた異状情報の種別を指定することで、必要に応じた異状情報が地図上に紐付けられた地図情報７０を確認することができる。
【０１０８】
また、地図情報生成部３５は、第２異状情報に基づいて複数の領域の状態を分析し、地図上で強調表示する領域を判定する異状分析部４２を備える。地図情報生成部３５は、異状分析部４２による判定結果に基づいて、地図上の領域を強調表示した情報を地図上の領域に紐付けた地図情報７０を生成する。これにより、利用者Ｕは、例えば、第２異状情報が集中している領域Ｒを容易に把握することができる。
【０１０９】
また、地図情報生成部３５は、地図情報７０を要求する利用者Ｕの属性を示す属性情報と異状情報とに基づいて、目的地までの避難ルート８７を決定する避難ルート決定部４３を備える。地図情報生成部３５は、避難ルート８７を地図上に表示した情報を地図情報７０として生成する。これにより、利用者Ｕに応じた適切な避難ルート８７を地図上に表示した地図情報７０を利用者Ｕに提供することができる。
【０１１０】
また、地図情報生成部３５は、第１異状情報に基づいて、地点における異状状態を示すシンボルを決定するシンボル決定部４１を備える。地図情報生成部３５は、シンボル決定部４１によって決定されたシンボルを地図上に紐付けた地図情報７０を生成する。これにより、担当者ＵＡは、シンボルを手動で登録することなく、シンボルを地図上に紐付けた地図情報７０が生成されるため、作業効率を高めることができる。また、シンボルを地図上に配置することによって、利用者Ｕは地点または領域Ｒの状態を直感的に把握することができる。なお、シンボル決定部４１は、第１異状情報の撮像画像情報に文字または数値を示す情報が含まれる場合、かかる文字または数値を示す情報から異状状態を示すシンボルとして決定することもできる。
【０１１１】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【０１１２】
１  地図情報提供装置、２，２１〜２ｍ，３，３１〜３ｎ  端末装置、４  通信ネットワーク、１０，５０  通信部、２０，５１  記憶部、２１  異状情報記憶部、２２  地図情報記憶部、２３  シンボル情報記憶部、２４  強調表示情報記憶部、２５  災害履歴情報記憶部、２６  平常時履歴情報記憶部、３０，５７  処理部、３１  第１異状情報受付部、３２  第２異状情報受付部、３３  異状情報登録部、３４  要求受付部、３５  地図情報生成部、３６  地図情報配信部、３７  異常予測部、４１  シンボル決定部、４２  異状分析部、４３  避難ルート決定部、４４  紐付け部、５２  入力部、５３  撮像部、５４  マイク、５５  位置情報取得部、５６  表示部、６１  異状情報生成部、６２  異状情報送信部、６３  地図情報取得部、６４  表示処理部、７０  地図情報、７１  種別指定領域、８０，８３１，８３２，８３３  シンボル、８１１，８１２，８１３，８２１，８２２，８２３，８２４，８２５，８２６，８２７，８２８，８２９  記号、８４  強調表示情報、８６  属性入力情報、８７  避難ルート、１００  地図情報提供システム、Ｐ１，Ｐ２，Ｐ３  地点、Ｒ，Ｒ１〜Ｒ４０  領域、Ｕ  利用者、ＵＡ，ＵＡ１〜ＵＡｍ  担当者、ＵＢ，ＵＢ１〜ＵＢｎ  非担当者。
【図１】
2020197635.tif 000003
【図２】
2020197635.tif 000004
【図３】
2020197635.tif 000005
【図４】
2020197635.tif 000006
【図５】
2020197635.tif 000007
【図６】
2020197635.tif 000008
【図７】
2020197635.tif 000009
【図８】
2020197635.tif 000010
【図９】
2020197635.tif 000011
【図１０】
2020197635.tif 000012
【図１１】
2020197635.tif 000013
【図１２】
2020197635.tif 000014
【図１３】
2020197635.tif 000015
【図１４】
2020197635.tif 000016
【図１５】
2020197635.tif 000017
【図１６】
2020197635.tif 000018
【図１７】
2020197635.tif 000019